(57)【要約】      （修正有）【課題】側溝に被着される両脚側溝蓋を効率良く清掃できるようにし、そして、蓋体の両端に突出した両脚部を、表面の平板部と併せて、同時に往復の拭き取り操作で有効に清掃できるようにした両脚付側溝蓋掃除具を提供する。【解決手段】中央の平板部１ａの両端に側部１ｂ，１ｂを設けて形成されるコの字状の把持体１と、該把持体１の平板部１ａ及び両側部１ｂ，１ｂの裏面部に設けられる着脱自在の伸縮性の掃除片２とより成り、前記把持体１には着脱可能な把持操作杆を設けて成ることを特徴とする両脚付側溝蓋掃除具。【選択図】図２
0003191343.tif 000002
【実用新案登録請求の範囲】
【請求項１】
中央の平板部の両端に側部を設けて形成される
0003191343.tif 000014
の把持体と、該把持体の平板部及び両側部の裏面部に設けられる着脱自在の伸縮性の掃除片とより成り、前記把持体には着脱可能な把持操作杆を設けて成ることを特徴とする両脚付側溝蓋掃除具。
【請求項２】
伸縮性の掃除片は基部を硬質樹脂とし、この硬質樹脂と接着させた多孔性伸縮性合成樹脂材とより成り、前記硬質樹脂に鈎状の止片を備え、把持体の係止孔に着脱自在に挿入固定できるようにして成ることを特徴とする請求項１記載の両脚付側溝蓋掃除具。
【請求項３】
0003191343.tif 000015
の把持体には、中央に手動用の挟持摘子を備え、かつ把持操作杆の基部を着脱自在に固定できる係止部を備えて成ることを特徴とする請求項１記載の両脚付側溝蓋掃除具。
【考案の詳細な説明】
【技術分野】
【０００１】
本考案は、道路の側溝を閉塞する両脚付側溝蓋を掃除するための両脚付側溝蓋掃除具に関する。
【背景技術】
【０００２】
一般に、道路の両端に側溝が設けられ、その側溝には、一般にはグレイチング（ｇｒａｔｉｎｇ）と呼ばれる遮蔽用の蓋板が設けられている。そして、蓋板には長尺な金属製で形成されている。しかも、多くの場合、側溝に被着させている（例えば、特許文献１参照）。
【０００３】
しかし乍ら、最近に至り、側溝用蓋は、左右に突出した脚が設けられ、両脚付構成となっている（例えば、特許文献２参照）。
【０００４】
更に最近では、左右に突設した脚が短尺で、中央の主取部が平面状でスリット状の孔を穿った金属製の構成のものが知られている。
【先行技術文献】
【特許文献】
【０００５】
【特許文献１】特開２００９−１６１９６１号公報
【特許文献２】特開２００５−４８５３５号公報
【考案の概要】
【考案が解決しようとする課題】
【０００６】
この種の側溝は、路上の塵埃や枯草，紙切れ等が砂粒と交って雨水と共に、側溝蓋の小孔より溝内に侵入し、目詰まりの原因となり、汚れを生じて著しく景観を害するという不都合問題があった。多くの場合、公共機関の土木業者が、公的費用をかけて清掃する方法で対応していた。
【０００７】
しかし乍ら、アパート，マンション等の集合住宅の各階の通路に設けられる側溝の清掃は、アパートやマンションの所有者ないしは管理者が独自に清掃しなければならないという課題があった。
【０００８】
そして、一般には清掃業者が所有者ないしは管理業者に代わって清掃を行うという必要があった。
【０００９】
本考案は叙上に点に着目して成されたもので、側溝内ではなく側溝に被着される両脚側溝蓋を効率良く清掃できるようにした両脚付側溝蓋掃除具を提供することを目的とする。
【００１０】
そして、蓋体の両端に突出した両脚部を、表面の平板部と併せて、同時に往復の拭き取り操作で有効に清掃できるようにした両脚付側溝蓋掃除具を提供することを目的とする。
【課題を解決するための手段】
【００１１】
この考案は下記の構成を備えることにより上記課題を解決できるものである。
【００１２】
（１）中央の平板部の両端に側部を設けて形成される
0003191343.tif 000003
の把持体と、該把持体の平板部及び両側部の裏面部に設けられる着脱自在の伸縮性の掃除片とより成り、前記把持体には着脱可能な把持操作杆を設けて成ることを特徴とする両脚付側溝蓋掃除具。
【００１３】
（２）伸縮性の掃除片は基部を硬質樹脂とし、この硬質樹脂と接着させた多孔性伸縮性合成樹脂材とより成り、前記硬質樹脂に鈎状の止片を備え、把持体の係止孔に着脱自在に挿入固定できるようにして成ることを特徴とする前記（１）記載の両脚付側溝蓋掃除具。
【００１４】
（３）
0003191343.tif 000004
の把持体には、中央に手動用の挟持摘子を備え、かつ把持操作杆の基部を着脱自在に固定できる係止部を備えて成ることを特徴とする前記（１）記載の両脚付側溝蓋掃除具。
【考案の効果】
【００１５】
側溝に取り付けられる両脚付側溝蓋は室内に無く、通路の隅に設けられているので、汚損が激しく清掃する必要がある。側溝から取り出した両脚付側溝蓋を路面上に置き、本考案に係る両脚付側溝蓋掃除具を載置する時、把持体の裏面に設けられた伸縮自在の掃除片が両脚付側溝蓋の表面及び側面に当接し、かつ押圧力の加減調節により適度な力の圧力が作用し、表面を傷付けることなく、往復摺擦作用を行わせることにより清拭できる。短尺な場合は、作業者の手で挟持摘子を持って作業できるし、長尺な場合は挟持柄杆を用いて有効な作業ができる。
【００１６】
しかも、同時に両脚付側溝蓋の平板部と両端の側部を清掃できるので、効率的な作業を可能にできる。把持体の裏面に取り付けられる伸縮状の掃除片は、着脱自在であるので、汚れや塵埃が付着した場合は取り外して洗浄して反覆使用できる。
【図面の簡単な説明】
【００１７】
【図１】本考案の実施例を示す把持操作杆を取り外して示す平面図
【図２】図１の正面図
【図３】（ａ）は図２のＡ−Ａ線断面図、（ｂ）は図２のＢ−Ｂ線断面図、（ｃ）は図２のＣ−Ｃ線断面図
【図４】図１の側面図
【図５】把持操作杆を取り付けた状態の側面図
【図６】本考案に係る両脚付側溝蓋掃除具の使用状態を示す両脚付側溝蓋との位置関係を示す側面図
【図７】両脚付側溝蓋に掃除具が係合した清掃状態の断面図
【図８】（ａ）（ｂ）（ｃ）は本考案掃除具の清掃状態の三例を示す平面図
【考案を実施するための形態】
【００１８】
以下本考案を実施するための最良の形態を、実施例により詳しく説明する。
【実施例】
【００１９】
以下に、本考案に係る実施例を図面と共に説明する。
【００２０】
図面において、１は正面
0003191343.tif 000005
の把持体で、中央の平板部１ａと、その両端に側部１ｂ，１ｂを備えて成り、金属，硬質樹脂などで形成する。２は、平板部１ａ及び両側部１ｂ，１ｂの裏面に着脱自在に装着できる伸縮性の合成樹脂製の掃除片である。
【００２１】
この掃除片２は、合成樹脂製の硬質な基板３と弾力気泡製のスポンジ体４の二層より成り、基板３には鈎部５が２個以上突設してあり、把持体１の平板部１ａ及び側部１ｂ，１ｂに設けた係止孔６と対応させてあり、夫々の掃除片２を把持体１の平板部１ａ及び両側部１ｂ，１ｂの裏面に捻回させて着脱自在に固定させることができる。
【００２２】
叙上の構成から分かるように、
0003191343.tif 000006
の把持体１に対し、３個の掃除片２は、鈎部５と係止孔６との係合を外せば分離分割できる。
７は、
0003191343.tif 000007
の把持体１の平板部１ａの中央に螺合固着される挟持摘子で、中央当板８を介在させて設けてある。９は市販の長尺な把持操作杆で、基端部９ａを
0003191343.tif 000008
の把持体１の中央に傾斜して設けた止杆１０と、レバー片１１を介して着脱自在に係入離脱できるようにしてある。
【００２３】
比較的短尺な長さの両脚付側溝蓋Ａを清掃する時は把持操作杆９を外し、挟持摘子７に片方の手で持ち清掃作業を行い、反対に長尺な両脚付側溝蓋Ａの場合は、把持操作杆９を両手で把持して有効に清掃作業を行わせることができる。
【００２４】
叙上の構成の下に、清掃作業の一例を図面と共に説明する。
【００２５】
まず初めに、側溝に被冠されている小孔ａを穿った両脚付側溝蓋Ａを取り出し、路面上に載置し、散水ないし洗剤を含んだ水を掛けて両脚付側溝蓋Ａの表面を水で膨潤状態にして、両脚付側溝蓋Ａ上に付着したゴミを浮上状態にしてから掃除具の
0003191343.tif 000009
の把持体１を被せ、把持操作杆９を把持して往復動させて、両脚付側溝蓋Ａの表面Ａ１及び両側面Ａ２，Ａ２の塵埃，汚れを掃き取る。
【００２６】
両脚付側溝蓋Ａの表面Ａ１及び両側面Ａ２，Ａ２と当接する掃除片２は、伸縮自在のスポンジ体４であるので、両脚付側溝蓋Ａに表面Ａ１及び両側面Ａ２，Ａ２を傷付けることなく、綺麗に除塵させることができ、特に押圧力を強めたり、或いは両脚付側溝蓋Ａに対して、図８（ａ）（ｂ）（ｃ）のように真直ぐ方向や稍々斜め方向に傾けて往復動させれば、強固に付着した異物を有効に取り除くことができる。
【００２７】
両脚付側溝蓋Ａの長さが短尺な場合は、把持操作杆９を取り外して片手で挟持摘子７を持ち、手作業で押圧作業することも可能である。
【００２８】
掃除作業が長期に亘り、掃除片２のスポンジ体４が汚損したり破損した場合は、
0003191343.tif 000010
の把持体１より鈎部５を係止孔６より外し、
0003191343.tif 000011
の把持体１と分離して選択的に洗滌して、綺麗にしてから組み込むことにより、反覆使用でき、さらに新品の部品として交換して使用できる。
この
0003191343.tif 000012
の把持体１には、両脚付側溝蓋Ａの表面Ａ１と両側面Ａ２，Ａ２を同時に清掃できるので、極めて効率よく作業が行えるので、作業者にとって、洵に利益性が高い。
【００２９】
なお、両側面Ａ２，Ａ２間の長さＬに対して、
0003191343.tif 000013
の把持体１の両側部１ｂ，１ｂに装着される掃除片２，２間の長さｌを、僅かに短尺に形成して、スポンジ体４の伸縮作用を有効に働かせる構成であることは勿論である。清掃に際しては、スポンジ体４は２割から３割程度圧縮されるのが好ましい。
【符号の説明】
【００３０】
１    把持体
１ａ  平板部
１ｂ  側部
２    掃除片
３    基板
４    スポンジ体
５    鈎部
６    係止孔
７    挟持摘子
８    中央当板
９    把持操作杆
９ａ  基端部
１０  止杆
１１  レバー片
Ａ    両脚付側溝蓋
Ａ１  表面
Ａ２  側面
ａ    小孔
【図１】
0003191343.tif 000016
【図２】
0003191343.tif 000017
【図３】
0003191343.tif 000018
【図４】
0003191343.tif 000019
【図５】
0003191343.tif 000020
【図６】
0003191343.tif 000021
【図７】
0003191343.tif 000022
【図８】
0003191343.tif 000023
【手続補正書】
【提出日】平成26年4月16日(2014.4.16)
【手続補正１】
【補正対象書類名】明細書
【補正対象項目名】全文
【補正方法】変更
【補正の内容】
【考案の詳細な説明】
【技術分野】
【０００１】
本考案は、道路の側溝を閉塞する両脚付側溝蓋を掃除するための両脚付側溝蓋掃除具に関する。
【背景技術】
【０００２】
一般に、道路の両端に側溝が設けられ、その側溝には、一般にはグレイチング（ｇｒａｔｉｎｇ）と呼ばれる遮蔽用の蓋板が設けられている。そして、蓋板には長尺な金属製で形成されている。しかも、多くの場合、側溝に被着させている（例えば、特許文献１参照）。
【０００３】
しかし乍ら、最近に至り、側溝用蓋は、左右に突出した脚が設けられ、両脚付構成となっている（例えば、特許文献２参照）。
【０００４】
更に最近では、左右に突設した脚が短尺で、中央の主取部が平面状でスリット状の孔を穿った金属製の構成のものが知られている。
【先行技術文献】
【特許文献】
【０００５】
【特許文献１】特開２００９−１６１９６１号公報
【特許文献２】特開２００５−４８５３５号公報
【考案の概要】
【考案が解決しようとする課題】
【０００６】
この種の側溝は、路上の塵埃や枯草，紙切れ等が砂粒と交って雨水と共に、側溝蓋の小孔より溝内に侵入し、目詰まりの原因となり、汚れを生じて著しく景観を害するという不都合問題があった。多くの場合、公共機関の土木業者が、公的費用をかけて清掃する方法で対応していた。
【０００７】
しかし乍ら、アパート，マンション等の集合住宅の各階の通路に設けられる側溝の清掃は、アパートやマンションの所有者ないしは管理者が独自に清掃しなければならないという課題があった。
【０００８】
そして、一般には清掃業者が所有者ないしは管理業者に代わって清掃を行うという必要があった。
【０００９】
本考案は叙上に点に着目して成されたもので、側溝内ではなく側溝に被着される両脚側溝蓋を効率良く清掃できるようにした両脚付側溝蓋掃除具を提供することを目的とする。
【００１０】
そして、蓋体の両端に突出した両脚部を、表面の平板部と併せて、同時に往復の拭き取り操作で有効に清掃できるようにした両脚付側溝蓋掃除具を提供することを目的とする。
【課題を解決するための手段】
【００１１】
この考案は下記の構成を備えることにより上記課題を解決できるものである。
【００１２】
（１）中央の平板部の両端に側部を設けて形成されるコの字状の把持体と、該把持体の平板部及び両側部の裏面部に設けられる着脱自在の伸縮性の掃除片とより成り、前記把持体には着脱可能な把持操作杆を設けて成ることを特徴とする両脚付側溝蓋掃除具。
【００１３】
（２）伸縮性の掃除片は基部を硬質樹脂とし、この硬質樹脂と接着させた多孔性伸縮性合成樹脂材とより成り、前記硬質樹脂に鈎状の止片を備え、把持体の係止孔に着脱自在に挿入固定できるようにして成ることを特徴とする前記（１）記載の両脚付側溝蓋掃除具。
【００１４】
（３）コの字状の把持体には、中央に手動用の挟持摘子を備え、かつ把持操作杆の基部を着脱自在に固定できる係止部を備えて成ることを特徴とする前記（１）記載の両脚付側溝蓋掃除具。
【考案の効果】
【００１５】
側溝に取り付けられる両脚付側溝蓋は室内に無く、通路の隅に設けられているので、汚損が激しく清掃する必要がある。側溝から取り出した両脚付側溝蓋を路面上に置き、本考案に係る両脚付側溝蓋掃除具を載置する時、把持体の裏面に設けられた伸縮自在の掃除片が両脚付側溝蓋の表面及び側面に当接し、かつ押圧力の加減調節により適度な力の圧力が作用し、表面を傷付けることなく、往復摺擦作用を行わせることにより清拭できる。短尺な場合は、作業者の手で挟持摘子を持って作業できるし、長尺な場合は挟持柄杆を用いて有効な作業ができる。
【００１６】
しかも、同時に両脚付側溝蓋の平板部と両端の側部を清掃できるので、効率的な作業を可能にできる。把持体の裏面に取り付けられる伸縮状の掃除片は、着脱自在であるので、汚れや塵埃が付着した場合は取り外して洗浄して反覆使用できる。
【図面の簡単な説明】
【００１７】
【図１】本考案の実施例を示す把持操作杆を取り外して示す平面図
【図２】図１の正面図
【図３】（ａ）は図２のＡ−Ａ線断面図、（ｂ）は図２のＢ−Ｂ線断面図、（ｃ）は図２のＣ−Ｃ線断面図
【図４】図１の側面図
【図５】把持操作杆を取り付けた状態の側面図
【図６】本考案に係る両脚付側溝蓋掃除具の使用状態を示す両脚付側溝蓋との位置関係を示す側面図
【図７】両脚付側溝蓋に掃除具が係合した清掃状態の断面図
【図８】（ａ）（ｂ）（ｃ）は本考案掃除具の清掃状態の三例を示す平面図
【考案を実施するための形態】
【００１８】
以下本考案を実施するための最良の形態を、実施例により詳しく説明する。
【実施例】
【００１９】
以下に、本考案に係る実施例を図面と共に説明する。
【００２０】
図面において、１は正面コの字状の把持体で、中央の平板部１ａと、その両端に側部１ｂ，１ｂを備えて成り、金属，硬質樹脂などで形成する。２は、平板部１ａ及び両側部１ｂ，１ｂの裏面に着脱自在に装着できる伸縮性の合成樹脂製の掃除片である。
【００２１】
この掃除片２は、合成樹脂製の硬質な基板３と弾力気泡製のスポンジ体４の二層より成り、基板３には鈎部５が２個以上突設してあり、把持体１の平板部１ａ及び側部１ｂ，１ｂに設けた係止孔６と対応させてあり、夫々の掃除片２を把持体１の平板部１ａ及び両側部１ｂ，１ｂの裏面に捻回させて着脱自在に固定させることができる。
【００２２】
叙上の構成から分かるように、コの字状の把持体１に対し、３個の掃除片２は、鈎部５と係止孔６との係合を外せば分離分割できる。
７は、コの字状の把持体１の平板部１ａの中央に螺合固着される挟持摘子で、中央当板８を介在させて設けてある。９は市販の長尺な把持操作杆で、基端部９ａをコの字状の把持体１の中央に傾斜して設けた止杆１０と、レバー片１１を介して着脱自在に係入離脱できるようにしてある。
【００２３】
比較的短尺な長さの両脚付側溝蓋Ａを清掃する時は把持操作杆９を外し、挟持摘子７に片方の手で持ち清掃作業を行い、反対に長尺な両脚付側溝蓋Ａの場合は、把持操作杆９を両手で把持して有効に清掃作業を行わせることができる。
【００２４】
叙上の構成の下に、清掃作業の一例を図面と共に説明する。
【００２５】
まず初めに、側溝に被冠されている小孔ａを穿った両脚付側溝蓋Ａを取り出し、路面上に載置し、散水ないし洗剤を含んだ水を掛けて両脚付側溝蓋Ａの表面を水で膨潤状態にして、両脚付側溝蓋Ａ上に付着したゴミを浮上状態にしてから掃除具のコの字状の把持体１を被せ、把持操作杆９を把持して往復動させて、両脚付側溝蓋Ａの表面Ａ１及び両側面Ａ２，Ａ２の塵埃，汚れを掃き取る。
【００２６】
両脚付側溝蓋Ａの表面Ａ１及び両側面Ａ２，Ａ２と当接する掃除片２は、伸縮自在のスポンジ体４であるので、両脚付側溝蓋Ａに表面Ａ１及び両側面Ａ２，Ａ２を傷付けることなく、綺麗に除塵させることができ、特に押圧力を強めたり、或いは両脚付側溝蓋Ａに対して、図８（ａ）（ｂ）（ｃ）のように真直ぐ方向や稍々斜め方向に傾けて往復動させれば、強固に付着した異物を有効に取り除くことができる。
【００２７】
両脚付側溝蓋Ａの長さが短尺な場合は、把持操作杆９を取り外して片手で挟持摘子７を持ち、手作業で押圧作業することも可能である。
【００２８】
掃除作業が長期に亘り、掃除片２のスポンジ体４が汚損したり破損した場合は、コの字状の把持体１より鈎部５を係止孔６より外し、コの字状の把持体１と分離して選択的に洗滌して、綺麗にしてから組み込むことにより、反覆使用でき、さらに新品の部品として交換して使用できる。
このコの字状の把持体１には、両脚付側溝蓋Ａの表面Ａ１と両側面Ａ２，Ａ２を同時に清掃できるので、極めて効率よく作業が行えるので、作業者にとって、洵に利益性が高い。
【００２９】
なお、両側面Ａ２，Ａ２間の長さＬに対して、コの字状の把持体１の両側部１ｂ，１ｂに装着される掃除片２，２間の長さｌを、僅かに短尺に形成して、スポンジ体４の伸縮作用を有効に働かせる構成であることは勿論である。清掃に際しては、スポンジ体４は２割から３割程度圧縮されるのが好ましい。
【符号の説明】
【００３０】
１    把持体
１ａ  平板部
１ｂ  側部
２    掃除片
３    基板
４    スポンジ体
５    鈎部
６    係止孔
７    挟持摘子
８    中央当板
９    把持操作杆
９ａ  基端部
１０  止杆
１１  レバー片
Ａ    両脚付側溝蓋
Ａ１  表面
Ａ２  側面
ａ    小孔
【手続補正２】
【補正対象書類名】実用新案登録請求の範囲
【補正対象項目名】全文
【補正方法】変更
【補正の内容】
【実用新案登録請求の範囲】
【請求項１】
中央の平板部の両端に側部を設けて形成されるコの字状の把持体と、該把持体の平板部及び両側部の裏面部に設けられる着脱自在の伸縮性の掃除片とより成り、前記把持体には着脱可能な把持操作杆を設けて成ることを特徴とする両脚付側溝蓋掃除具。
【請求項２】
伸縮性の掃除片は基部を硬質樹脂とし、この硬質樹脂と接着させた多孔性伸縮性合成樹脂材とより成り、前記硬質樹脂に鈎状の止片を備え、把持体の係止孔に着脱自在に挿入固定できるようにして成ることを特徴とする請求項１記載の両脚付側溝蓋掃除具。
【請求項３】
コの字状の把持体には、中央に手動用の挟持摘子を備え、かつ把持操作杆の基部を着脱自在に固定できる係止部を備えて成ることを特徴とする請求項１記載の両脚付側溝蓋掃除具。